(57)【要約】  本発明は、無線通信システムにおけるチャネル品質情報（ＣＱＩ）を送受信する方法及び装置を提供することを目的とする。本発明の方法及び装置では、端末機（ＵＥ）が連続受信状態から不連続受信（ＤＲＸ）状態に遷移する際に、端末機と基地局（Ｅ−ＲＡＮ）との間で合意されたＣＱＩ報告資源再割当て規則に従ってＣＱＩ報告資源を端末機に再割当てすることにより、割り当てられた新たなＣＱＩ報告資源に関する情報をシグナリングする必要がない。
2009533995.tif 000002
【特許請求の範囲】
【請求項１】
データの送受信のために、連続的にチャネルをモニタリングする連続受信状態及び不連続的にチャネルをモニタリングする不連続受信（ＤＲＸ）状態のうちの１つで動作する端末機（ＵＥ）と、前記ＵＥが連続受信状態及びＤＲＸ状態のうちの１つに進入するように指示する基地局（Ｅ−ＲＡＮ）と、を含む無線通信システムにおける前記ＵＥが前記Ｅ−ＲＡＮにチャネル品質情報（ＣＱＩ）を送信する方法であって、
前記Ｅ−ＲＡＮから、前記連続受信状態からＤＲＸ状態への遷移を示すＤＲＸ適用信号を受信するステップと、
前記ＤＲＸ状態に遷移し、前記ＤＲＸ適用信号がＣＱＩ報告資源再割当て情報を含んでいない場合には、前記ＤＲＸ状態に遷移する前に使用されたＣＱＩ報告資源からＣＱＩ報告資源を選択するステップと、
前記選択されたＣＱＩ報告資源を用いて前記ＣＱＩを前記Ｅ−ＲＡＮに報告するステップと、
を有することを特徴とする方法。
【請求項２】
前記ＣＱＩ報告資源を選択するステップは、前記ＤＲＸ適用信号によって示されたＤＲＸ周期を用いて前記ＤＲＸ状態に遷移する前に使用された前記ＣＱＩ報告資源から前記ＣＱＩ報告資源を選択することを特徴とする請求項１に記載の方法。
【請求項３】
前記ＤＲＸ状態から前記連続受信状態への遷移を示すＤＲＸ解除信号をＥ−ＲＡＮから受信するステップと、
前記ＤＲＸ解除信号が前記ＣＱＩ報告資源再割当て情報を含んでいない場合には、前記ＤＲＸ状態への遷移の前に使用された前記ＣＱＩ報告資源を使用するステップと、
前記連続受信状態に遷移した後に、前記ＣＱＩ報告資源を用いて所定の期間で前記Ｅ−ＲＡＮに前記ＣＱＩを報告するステップと、
をさらに有することを特徴とする請求項１に記載の方法。
【請求項４】
前記ＤＲＸ適用信号が前記ＣＱＩ報告資源再割当て情報を含んでいる場合には、前記ＣＱＩ報告資源再割当て情報により示されたＣＱＩ報告無線資源を選択するステップをさらに有することを特徴とする請求項１に記載の方法。
【請求項５】
データの送受信のために、連続的にチャネルをモニタリングする連続受信状態及び不連続的にチャネルをモニタリングする不連続受信（ＤＲＸ）状態のうちの１つで動作する端末機（ＵＥ）と、前記ＵＥが連続受信状態及びＤＲＸ状態のうちの１つに進入するように指示する基地局（Ｅ−ＲＡＮ）と、を含む無線通信システムにおける前記Ｅ−ＲＡＮが前記ＵＥからチャネル品質情報（ＣＱＩ）を受信する方法であって、
前記ＤＲＸ状態で動作するＵＥを選択するステップと、
前記ＵＥが前記ＤＲＸ状態で使用するＣＱＩ報告資源を選択するステップと、
前記ＤＲＸ状態への遷移の前に前記ＵＥのために使用されたＣＱＩ報告資源の一部が前記ＣＱＩ報告資源として選択される場合には、残りのＣＱＩ報告資源を他のＵＥに割り当てるステップと、
前記連続受信状態から前記ＤＲＸ状態への遷移を示すＤＲＸ適用信号を前記ＵＥに送信するステップと、
前記ＤＲＸ状態への遷移の後に、前記選択されたＣＱＩ報告資源を用いて前記ＵＥから前記ＣＱＩを受信するステップと、
を有することを特徴とする方法。
【請求項６】
前記ＵＥを選択するステップは、複数のＵＥのデータフローに従って前記ＵＥを選択することを特徴とする請求項５に記載の方法。
【請求項７】
前記ＤＲＸ状態への遷移の前に前記ＵＥのために使用されたＣＱＩ報告資源の一部が選択されない場合には、新たなＣＱＩ報告資源を前記ＵＥに割り当てるステップと、
前記割り当てられた新たなＣＱＩ報告資源に関する情報を前記ＤＲＸ適用信号により前記ＵＥに送信するステップと、
をさらに有することを特徴とする請求項５に記載の方法。
【請求項８】
前記ＤＲＸ適用信号が前記ＵＥに送信された後に、前記ＤＲＸ状態から解除されるＵＥを選択するステップと、
前記ＵＥが前記ＤＲＸ状態に遷移する前に使用されたＣＱＩ報告資源の一部を前記ＵＥに再割当てするか否かを決定するステップと、
前記ＵＥが前記ＤＲＸ状態に遷移する前に使用された前記ＣＱＩ報告資源を前記ＵＥに再割当てすることを決定し、前記ＣＱＩ報告資源を前記ＵＥ再割当てするステップと、
ＤＲＸ解除を示すＤＲＸ解除信号を前記ＵＥに送信するステップと、
前記ＵＥが前記連続受信状態に遷移した後に、前記再割当てされたＣＱＩ報告資源を用いて所定の周期で前記ＵＥから前記ＣＱＩを受信するステップと、
をさらに有することを特徴とする請求項５に記載の方法。
【請求項９】
無線通信システムにおけるチャネル品質情報（ＣＱＩ）を基地局（Ｅ−ＲＡＮ）に送信する端末（ＵＥ）装置であって、
前記ＵＥが連続的にチャネルをモニタリングする連続受信状態から前記ＵＥが不連続的にチャネルをモニタリングするＤＲＸ状態への遷移を示す不連続受信（ＤＲＸ）適用信号を前記Ｅ−ＲＡＮから受信する信号送受信部と、
前記受信されたＤＲＸ適用信号がＣＱＩ報告資源再割当て情報を含んでいるか否かを確認するＣＱＩ資源再割当て情報解析部と、
前記ＤＲＸ適用信号が前記ＣＱＩ報告資源再割当て情報を含んでいない場合には、前記ＤＲＸ状態への遷移の前に使用されたＣＱＩ報告資源から前記ＤＲＸ状態で使用するＣＱＩ報告資源を選択する資源計算部と、
を具備することを特徴とする端末装置。
【請求項１０】
前記資源計算部は、前記ＤＲＸ適用信号により示されたＤＲＸ周期を用いて前記ＤＲＸ状態への遷移の前に使用された前記ＣＱＩ報告資源から前記ＣＱＩ報告資源を選択することを特徴とする請求項９に記載の端末機装置。
【請求項１１】
前記信号送受信部は、前記ＤＲＸ状態から前記連続受信状態への遷移を示すＤＲＸ解除信号を前記Ｅ−ＲＡＮから受信し、
前記資源計算部は、前記ＤＲＸ解除信号がＣＱＩ報告資源再割当て情報を含んでいない場合には、前記ＤＲＸ状態への遷移の前に使用された前記ＣＱＩ報告資源を使用することを決定することを特徴とする請求項９に記載の端末装置。
【請求項１２】
無線通信システムにおける端末機（ＵＥ）からチャネル品質情報（ＣＱＩ）を受信する基地局（Ｅ−ＲＡＮ）装置であって、
不連続的にチャネルをモニタリングする不連続受信（ＤＲＸ）状態で動作するＵＥを選択するＤＲＸ管理部と、
前記ＤＲＸ状態への遷移の前にＵＥのために使用されたＣＱＩ報告資源の一部を前記ＤＲＸ状態で使用するＣＱＩ報告資源として再割当てするか否かを決定するＣＱＩ報告資源再割当て判定部と、
前記ＤＲＸ状態への遷移の前にＵＥのために使用されたＣＱＩ報告資源の一部を前記ＤＲＸ状態で使用するＣＱＩ報告資源として再割当てすることを決定する場合に、残りのＣＱＩ報告資源を他のＵＥに割り当てる資源管理部と、
前記ＤＲＸ状態への遷移を示すＤＲＸ適用信号を前記ＵＥに送信し、前記再割当てされたＣＱＩ報告資源を用いて前記ＵＥから前記ＣＱＩを受信する信号送受信部と、
を具備することを特徴とする基地局装置。
【請求項１３】
前記ＤＲＸ管理部は、複数のＵＥのデータフローに従って前記ＵＥを選択することを特徴とする請求項１２に記載の基地局装置。
【請求項１４】
前記資源管理部は、前記ＤＲＸ状態への遷移の前にＵＥのために使用されたＣＱＩ報告資源の一部を前記ＤＲＸ状態で使用しないことを決定すると、新たなＣＱＩ報告資源を前記ＵＥに割り当て、
前記信号送受信部は、前記割り当てられた新たなＣＱＩ報告資源に関する情報を前記ＤＲＸ適用信号により前記ＵＥに送信することを特徴とする請求項１３に記載の基地局装置。
【請求項１５】
前記ＤＲＸ管理部は、前記ＤＲＸ状態から解除されるＵＥを選択し、
前記資源再割当て判定部は、前記ＵＥが前記ＤＲＸ状態への遷移の前に使用されたＣＱＩ報告資源の一部を前記ＵＥに再割当てするか否かを判定し、
前記資源管理部は、前記ＵＥが前記ＤＲＸ状態への遷移の前に使用された前記ＣＱＩ報告資源の一部を前記ＵＥに再割当てすることを判定する場合には、前記ＣＱＩ報告資源の一部を前記ＵＥに再割当てし、
前記信号送受信部は、ＤＲＸ解除を示すＤＲＸ解除信号を前記ＵＥに送信し、前記再割当てされたＣＱＩ報告資源を用いて所定の期間で前記ＵＥから前記ＣＱＩを受信することを特徴とする請求項１３に記載の基地局装置。
【発明の詳細な説明】
【技術分野】
【０００１】
本発明は、無線通信システムにおけるチャネル品質情報（Channel Quality Information：以下、“ＣＱＩ”と称する）を送受信する方法及び装置に関し、特に、ユーザ端末機（User Equipment：以下、“ＵＥ”と称する）が受信状態間で遷移する際にＣＱＩを送受信する方法及び装置に関する。
【背景技術】
【０００２】
一般的に、無線通信システムは、音声サービスからデータサービスに進化した。この無線通信システムが発展するにつれて、加入者の数が増加し、ユーザが要求するデータの量も急激に増加している。無線通信システムは、資源タイプに従って様々な多重化方式を用いてサービスを提供する。言い換えれば、無線通信システムは、多重化方式に従って分類される。また、多重化方式を用いて音声サービス及び／又はデータサービスを複数のユーザに提供する方式を多重接続方式と呼ぶ。明細書中では、多重化方式と多重接続方式との区別なしに、これらを多重化方式と呼ぶ。
【０００３】
主な多重化方式には、時分割多重化（ＴＤＭ）方式、符号分割多重化（ＣＤＭ）方式、及び直交周波数分割多重化（ＯＦＤＭ）方式がある。これらの中で最も幅広く使用される方式は、同期モード又は非同期モードで動作することができるＣＤＭである。ＣＤＭが基本的に符号を使用するために、限定された直交符号は、資源不足の原因となる。これに関連して、直交周波数分割多重化（Orthogonal Frequency Division Multiplexing：以下、“ＯＦＤＭ”と称する）方式が有望なものとして浮び上がっている。ＯＦＤＭ方式は、マルチキャリア変調（ＭＣＭ）を使用してデータを送信する方式であって、直列シンボル列を並列シンボル列に変換し、これらのそれぞれを、相互直交性を有する複数のサブキャリア、すなわち、複数のサブキャリアチャネルに変調して送信するマルチキャリア変調方式の一種である。ＯＦＤＭ方式は、従来の周波数分割多重化（ＦＤＭ）方式と類似しているが、複数のサブキャリア間の直交性を保持して送信し、周波数スペクトルを重複して使用することにより、周波数の使用を効率的に行い、周波数選択性フェーディング及び多重経路フェーディングにも強いという長所により、高速データの送信の際に、最適の送信効率を得ることができる。
【０００４】
ＯＦＤＭの特性を活用するために、第３世代パートナーシッププロジェクト（3rd Generation Partnership Project：以下、“３ＧＰＰ”と称する）標準化機構は、ＯＦＤＭ方式を用いて高速のデータ送信を可能にするために、３ＧＰＰロングタームエボリューション（Long Term Evolution：以下、“ＬＴＥ”と称する）システムを提案した。ＯＦＤＭ特性の他にも、３ＧＰＰ ＬＴＥは、ネットワーク構成の最適化、シグナリング最適化、及び高速の呼設定を含む他の目標を達成しようとしている。
【０００５】
無線通信において、高速、高品質のデータサービスを阻害する要因は、主にチャネルの環境による。無線通信を妨害する主なチャネル環境条件は、加法性白色ガウス雑音（Additive White Gaussian Noise：ＡＷＧＮ）である。ＡＷＧＮの他にも、チャンネル環境は、フェーディング現象により発生する受信信号の電力変化、シャドーイング、端末機の移動及び頻繁な速度変化によるドップラー効果、他のユーザ及び多重経路信号による干渉などにより頻繁に変わる。したがって、高速、高品質のデータサービスをサポートするためには、上述した阻害要因を効率的に克服することが極めて重要である。
【０００６】
通常のＯＦＤＭシステムにおいて、上記フェーディング現象を克服するために使用される主な方法の中の１つは、適応変調及び符号化（Adaptive Modulation and Coding：以下、“ＡＭＣ”と称する）方式である。ＡＭＣ方式は、ダウンリンク（ＤＬ）のチャネル変化に従って変調方式及び符号化方式を適応して調整する。ＵＥは、受信信号の信号対雑音比（ＳＮＲ）を測定することにより、このダウンリンクのＣＱＩを生成し、ＣＱＩをアップリンク（ＵＬ）を介してノードＢにフィードバックする。ノードＢは、ＣＱＩに基づいてダウンリンクチャネル状態を推定し、このチャネル状態に従って変調及び符号化方式を選択する。このＡＭＣ方式が採用される場合には、ノードＢは、比較的良好なチャネル状態である場合には、高次変調方式及び高い符号化率を適用する一方で、比較的不良なチャネル状態である場合には、低次変調方式及び低い符号化率を適用する。このように、ＡＭＣ方式は、高速電力制御に依存していた既存の方式に比べて、時変（time-variable）チャネル環境に対する適応能力を高めることによって、システムの平均性能を向上させる。
【０００７】
無線通信システムで提供されるサービスは、音声サービスのような連続サービスとデータサービスのような不連続サービスとに分類されることができる。連続サービスの場合には、ノードＢ及びＵＥは、それら間に接続されたデータチャネルを保持し、この接続されたチャネルを保持するための所定の制御チャネルを保持しなければならない。一方、不連続サービスのためのデータチャネル及び制御チャネルの維持は、資源浪費をもたらす。したがって、データフロー状態に従ってチャネル接続状態を調整することにより、限定された資源を効率的に使用する方法が必要とされている。
【発明の開示】
【発明が解決しようとする課題】
【０００８】
したがって、本発明は、上述した従来技術の問題点を解決するために提案されたものであり、その目的は、無線通信システムにおける資源を効率的に割り当てるための装置及び方法を提供することにある。
本発明の他の目的は、無線通信システムにおける状態遷移が発生する際にシグナリングオーバーヘッドを減少させるための装置及び方法を提供することにある。
【課題を解決するための手段】
【０００９】
上記のような目的を達成するために、本発明の一態様によれば、データの送受信のために、連続的にチャネルをモニタリングする連続受信状態及び不連続的にチャネルをモニタリングする不連続受信（ＤＲＸ）状態のうちの１つで動作する端末機（ＵＥ）と、上記ＵＥが連続受信状態及びＤＲＸ状態のうちの１つに進入するように指示する基地局（Ｅ−ＲＡＮ）と、を含む無線通信システムにおける上記ＵＥが上記Ｅ−ＲＡＮにチャネル品質情報（ＣＱＩ）を送信する方法は、上記Ｅ−ＲＡＮから、上記連続受信状態からＤＲＸ状態への遷移を示すＤＲＸ適用信号を受信するステップと、上記ＤＲＸ状態に遷移し、上記ＤＲＸ適用信号がＣＱＩ報告資源再割当て情報を含んでいない場合には、上記ＤＲＸ状態に遷移する前に使用された上記ＣＱＩ報告資源からＣＱＩ報告資源を選択するステップと、上記選択されたＣＱＩ報告資源を用いて上記ＣＱＩを上記Ｅ−ＲＡＮに報告するステップと、を有することを特徴とする。
【００１０】
本発明の他の態様によれば、データの送受信のために、連続的にチャネルをモニタリングする連続受信状態及び不連続的にチャネルをモニタリングする不連続受信（ＤＲＸ）状態のうちの１つで動作する端末機（ＵＥ）と、上記ＵＥが連続受信状態及びＤＲＸ状態のうちの１つに進入するように指示する基地局（Ｅ−ＲＡＮ）と、を含む無線通信システムにおける上記Ｅ−ＲＡＮが上記ＵＥからチャネル品質情報（ＣＱＩ）を受信する方法は、上記ＤＲＸ状態で動作するＵＥを選択するステップと、上記ＵＥが上記ＤＲＸ状態で使用するＣＱＩ報告資源を選択するステップと、上記ＤＲＸ状態への遷移の前にＵＥのために使用されたＣＱＩ報告資源の一部が上記ＣＱＩ報告資源として選択される場合には、残りのＣＱＩ報告資源を他のＵＥに割り当てるステップと、上記連続受信状態から上記ＤＲＸ状態への遷移を示すＤＲＸ適用信号を上記ＵＥに送信するステップと、上記ＤＲＸ状態への遷移の後に、上記選択されたＣＱＩ報告資源を用いてＵＥからＣＱＩを受信するステップと、を有することを特徴とする。
【００１１】
本発明のさらなる他の態様によれば、無線通信システムにおけるチャネル品質情報（ＣＱＩ）を基地局（Ｅ−ＲＡＮ）に送信する端末機（ＵＥ）装置は、上記ＵＥが連続的にチャネルをモニタリングする連続受信状態から上記ＵＥが不連続的にチャネルをモニタリングするＤＲＸ状態への遷移を示す不連続受信（ＤＲＸ）適用信号を上記Ｅ−ＲＡＮから受信する信号送受信部と、上記受信されたＤＲＸ適用信号がＣＱＩ報告資源再割当て情報を含んでいるか否かを確認するＣＱＩ資源再割当て情報解析部と、上記ＤＲＸ適用信号が上記ＣＱＩ報告資源再割当て情報を含んでいない場合には、上記ＤＲＸ状態への遷移の前に使用されたＣＱＩ報告資源から上記ＤＲＸ状態で使用するＣＱＩ報告資源を選択する資源計算部と、を具備することを特徴とする。
【００１２】
本発明のさらにまた他の態様によれば、無線通信システムにおける端末機（ＵＥ）からチャネル品質情報（ＣＱＩ）を受信する基地局（Ｅ−ＲＡＮ）装置は、ＵＥが不連続的にチャネルをモニタリングする不連続受信（ＤＲＸ）状態で動作するＵＥを選択するＤＲＸ管理部と、上記ＤＲＸ状態への遷移の前にＵＥのために使用されたＣＱＩ報告資源の一部を上記ＤＲＸ状態で使用するＣＱＩ報告資源として再割当てするか否かを決定する場合に、残りのＣＱＩ報告資源を他のＵＥに割り当てる資源管理部と、上記ＤＲＸ状態への遷移を示すＤＲＸ適用信号を上記ＵＥに送信し、上記再割当てされたＣＱＩ報告資源を用いて上記ＵＥからＣＱＩを受信する信号送受信部と、を具備することを特徴とする。
【発明の効果】
【００１３】
本発明によれば、無線通信システムにおいて、ＵＥがＲＲＣ接続モードで連続的な受信状態とＤＲＸ状態との間で遷移する際に、新たに割り当てられた資源に関する情報をＵＥにシグナリングしないことにより、シグナリングオーバーヘッドを減少させ、資源を効率的に割り当てることができる。
【発明を実施するための最良の形態】
【００１４】
本発明の一実施形態の目的、特性、及び長所は、添付した図面と共に以下の説明により、さらに明確になる。
本発明の詳細な構成および要素として本発明の詳細な説明で定義される特徴は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００１５】
チャネル接続状態は、不連続受信（ＤＲＸ）に基づいて、連続チャネル受信状態と周期的チャネル受信状態との間の遷移により調整されることができる。これら２つの状態間を遷移する際に、無線資源再割当て情報は、効率的な無線資源活用のために、シグナリングにより、例えば、制御チャネルを介してＵＥに送信されることができる。
図１は、本発明で参照する無線移動通信システムの一例であって、現在３ＧＰＰ標準化団体で議論している第３世代の移動通信標準であるＵＭＴＳと置き換わる次世代移動通信システムである３ＧＰＰ ＬＴＥシステムの一例を示す。
【００１６】
図１を参照すると、ユーザ端末機（User Equipment：以下、“ＵＥ”と称する）１１０は、３ＧＰＰ ＬＴＥ端末機である。Ｅ−ＲＡＮ（Evolved-Radio Access Network：以下、“Ｅ−ＲＡＮ”と称する）１４０は、従来の３ＧＰＰシステムのノードＢ（Node B）及び無線ネットワーク制御器（Radio Network Controller：以下、“ＲＮＣ”と称する）の機能を行う。ノードＢは、ＵＥとの通信に直接的に関与する無線基地局装置であり、セルを管理する。ＲＮＣは、複数のノードＢ及び無線資源を制御する。ノードＢ及びＲＮＣが別個の物理ノードで構成される従来の３ＧＰＰシステムと同様に、Ｅ−ＲＡＮ１４０は、別個の物理ノード、すなわち、Ｅ−ＮＢ（Evolved Node B）１２０及びＥ−ＲＮＣ（Evolved-RNC）１３０で構成されることができ、又はＥ−ＮＢ１２０及びＥ−ＲＮＣ１３０が組み合わせられることもできる。明細書中では、Ｅ−ＮＢ１２０及びＥ−ＲＮＣ１３０は、Ｅ−ＲＡＮ１４０に物理的に組み合わせられる。本発明では、Ｅ−ＮＢ１２０とＥ−ＲＮＣ１３０とが物理的にＥ−ＲＡＮ１４０に組み合わせられていることを一例を挙げて説明したが、他の場合も排除しない。
【００１７】
Ｅ−ＣＮ（Evolved-Core Network）１５０は、従来の３ＧＰＰシステムのＳＧＳＮ（Serving GPRS Support Node）とＧＧＳＮ（Gateway GPRS Support Node）とを結合するノードであることができる。パケットデータネットワーク（Packet Data Network：ＰＤＮ）１６０とＥ−ＲＡＮ１４０との間に位置したＥ−ＣＮ１５０は、インターネットプロトコル（ＩＰ）アドレスをＵＥ１１０に割り当て、ＵＥ１１０をＰＤＮ１６０に接続するゲートウェイとして機能する。ＳＧＳＮ及びＧＧＳＮの定義及び機能は、ｗｗｗ．３ＧＰＰ．ｏｒｇを参照する。図１に示す３ＧＰＰ ＬＴＥシステムをＯＦＤＭ方式の無線移動通信システムの一例として参照するが、本発明は、他の任意のＯＦＤＭシステムにも同様に適用されることができる。
【００１８】
３ＧＰＰ標準化団体は、２つのＵＥ状態、無線資源制御（Radio Resource Control：以下、“ＲＲＣ”と称する）アイドルモード及びＲＲＣ接続モードを定義する。ＲＲＣは、ＵＥとＥ−ＲＡＮとの間の無線接続に関連した制御情報を送受信するためのＥ−ＲＡＮの制御プレーンレイヤーである。ＲＲＣアイドルモードにおいて、Ｅ−ＲＡＮは、ＵＥに関するＲＲＣコンテキスト情報を有していなく、ＵＥとＥ−ＲＡＮとの間には、制御チャネル（ＲＲＣ接続）が存在しない。ＲＲＣ接続モードは、制御チャネルがＵＥとＥ−ＲＡＮとの間に設定されるＵＥモードであり、Ｅ−ＲＡＮは、ＵＥに関するＲＲＣコンテキスト情報を有する。
【００１９】
３ＧＰＰ ＬＴＥシステムは、ＲＲＣ接続モードでＵＥのデータ送受信フローの程度（activity level）に従ってＤＲＸ期間を設定することができる。ＵＥのためのデータフローが頻繁に発生すると、ＵＥは、継続してチャネルを受信する。他方、データフローがほとんど発生しないと、ＤＲＸ期間が設定され、ＵＥが、継続してチャネルを受信せず、ＤＲＸ期間の間のみチャネルを受信するようにする。ＲＲＣ接続モードにあるＵＥに対するＤＲＸの使用は、ＵＥの効率的な電力使用のためである。
【００２０】
図２は、ＵＥがＲＲＣ接続モードで連続的なチャネル受信状態からＤＲＸチャネル受信状態に遷移する際におけるＵＥのためのＣＱＩ報告資源を再構成する動作を示す図である。
図２を参照すると、参照符号２０１は、ＵＥを示し、参照符号２０２は、Ｅ−ＲＡＮを示す。ＵＥ２０１は、ステップ２１１で、ＲＲＣアイドルモードからＲＲＣ接続モードに遷移する。その結果、制御チャネルは、ＵＥ２０１とＥ−ＲＡＮ２０２との間で確立され、Ｅ−ＲＡＮ２０２は、ＵＥ２０１に関するＲＲＣコンテキスト情報を有する。ＣＱＩ報告のための資源は、ステップ２１１又はステップ２１２で、個別のシグナリングを介してＵＥ２０１に通知される。ＣＱＩ報告資源に関する情報は、タイム−周波数資源に関する情報、ＣＱＩ報告の開始ポイントに関する情報、及びＣＱＩ報告周期などを含む。ステップ２２１、２２２、及び２２３で、ＵＥ２０１は、ステップ２１１又はステップ２１２で通知されたＣＱＩ報告周期ごとに、ステップ２１１又はステップ２１２で割り当てられたＣＱＩ無線資源を用いてＣＱＩ報告を行う。
【００２１】
Ｅ−ＲＡＮ２０２がＵＥ２０１のデータフローに従ってＵＥ２０１のためにＤＲＸ期間を設定することを決定すると、Ｅ−ＲＡＮ２０２は、ステップ２３１で、ＤＲＸ適用をＵＥ２０１に通知し、ＤＲＸ適用に関連したＣＱＩ報告資源再割当て情報をＵＥ２０１にシグナリングする。ＵＥ２０１は、ステップ２４１で、ＣＱＩ報告資源再割当て情報内のＣＱＩ無線資源、ＣＱＩ報告周期、及びＣＱＩ報告開始ポイントを用いてＣＱＩ報告を行う。Ｅ−ＲＡＮ２０２がＤＲＸ適用をＵＥ２０１から解除することを決定すると、ステップ２５１で、Ｅ−ＲＡＮ２０２は、ＤＲＸ解除をＵＥ２０１に通知し、ＤＲＸ解除に関連したＣＱＩ報告資源再割当て情報をシグナリングする。ＵＥ２０１は、ステップ２６１、ステップ２６２、及びステップ２６３で、ＣＱＩ報告資源再割当て情報内のＣＱＩ無線資源、ＣＱＩ報告周期、及びＣＱＩ報告開始ポイントを用いてＣＱＩ報告を行う。一般的に、Ｅ−ＲＡＮ２０２は、ＵＥ２０１とのデータフローがない場合には、ＤＲＸ適用を決定し、ＵＥ２０１との活発なデータフローがある場合には、ＤＲＸを適用しないことを決定する。
【００２２】
上述したように、ＵＥがＵＥのデータフローに従ってＤＲＸを適用するか、又はＤＲＸを解除する度に、ＣＱＩ報告資源再割当て情報は、ＵＥにシグナリングされなければならない。ＤＲＸがセル内の複数のＵＥに適用され、ＤＲＸから解除される場合には、ＣＱＩ報告資源再割当て情報は、ＤＲＸ適用とＤＲＸ解除との間の状態遷移が発生する度に、ＵＥにシグナリングされなければならず、これにより、大きいシグナリングオーバーヘッドをもたらす。
本発明の実施形態は、ＵＥがＤＲＸ適用とＤＲＸ解除との間で遷移する際に、ＣＱＩ報告資源再割当て情報をシグナリングする代わりに、ＤＲＸ適用の前に使用されたＣＱＩ報告資源情報及びＤＲＸ周期情報を用いてＤＲＸの間に使用するためのＣＱＩ報告資源情報を求める規則を定義する。この規則に従うと、ＵＥ及びＥ−ＲＡＮは、明示的（explicit）シグナリングなく、暗示的に（implicitly）ＣＱＩ報告資源再割当て情報の維持／管理を一貫して行うことができる。
本発明では、移動通信システムの一例として３ＧＰＰで論議されている３ＧＰＰ ＬＴＥシステムに照らして説明しているが、本発明は、他の移動通信システムにも適用されることができる。
【００２３】
上述した規則の一実施形態に従って、ＵＥがＤＲＸ解除期間からＤＲＸ適用期間に遷移すると、Ｅ−ＲＡＮは、ＤＲＸ適用の前に割り当てられたＣＱＩ報告資源を示すＣＱＩ報告資源情報コンテキストを維持し、ＤＲＸ周期情報を用いてコンテキストを適用する際に、ＤＲＸ適用の直前に使用されたＣＱＩ報告資源をＵＥに割り当てる。従って、この割り当てられたＣＱＩ報告資源の前のＵＥのＣＱＩ報告資源は、他のユーザに再割当てされることができる。
例えば、ＤＲＸがシステムフレーム番号（System Frame Number：ＳＦＮ）２００で開始される場合に、ＤＲＸ周期は、ＳＦＮ１００であり（すなわち、ＵＥは、ＳＦＮ３００、ＳＦＮ４００などでウェークアップする）、ＤＲＸ適用の直前に使用されたＣＱＩ報告資源を示すＣＱＩ報告資源情報コンテキストが使用され、ＳＦＮ２１０、２３０、２５０、２７０、及び２９０で割り当てられた時間及び周波数無線資源を用いてＣＱＩが報告されることになっていた場合には、Ｅ−ＲＡＮは、ＤＲＸの間にＳＦＮ２９０、３９０、４９０などで使用されたＣＱＩ報告資源をＵＥに割り当て、他のＳＦＮでＵＥのために使用されたＣＱＩ報告のための資源を割り当てることができる。従って、無線資源は、効率的に活用されることができる。ＤＲＸ適用がＵＥにシグナリングされる場合には、ＤＲＸ適用の前に使用されたＣＱＩ報告資源を示すＣＱＩ報告資源情報コンテキストを維持し、コンテキストがＤＲＸ周期情報を用いて適用される際に、ＵＥは、ＤＲＸ適用の前のＣＱＩ報告資源を用いてＣＱＩ報告を行う。上記の例において、ＵＥは、ＤＲＸ適用の前に、ＳＦＮ２９０、３９０、及び４９０だけで割り当てられたＣＱＩ報告資源を用いてＣＱＩ報告を行う。
【００２４】
ＤＲＸが解除されると、Ｅ−ＲＡＮ及びＵＥは、ＤＲＸ適用の前に格納されていたＤＲＸ解除期間の間に使用されたＣＱＩ報告資源を示すＣＱＩ報告資源情報コンテキストをＤＲＸ解除の後に再使用する。
本発明に従って、上述した暗示的ＣＱＩ報告資源割当て方法は、図２に示した明示的シグナリング基盤のＣＱＩ報告資源割当て方法とともに使用されることができる。したがって、ＣＱＩ報告資源再割当て方法がＤＲＸ適用／解除に関するシグナリングに含まれている場合には、ＣＱＩは、ＣＱＩ報告資源再割当て情報に従って報告される。他方、ＣＱＩ報告資源再割当て方法がＤＲＸ適用／解除に関するシグナリングに含まれていない場合には、ＣＱＩは、上述した規則に従って報告される。
【００２５】
図３は、本発明の実施形態によるＵＥがＲＲＣ接続モードで連続的なチャネル受信状態からＤＲＸチャネル受信状態に遷移する際におけるＵＥのためのＣＱＩ報告資源を再構成する動作を示す図である。
図３を参照すると、参照符号３０１は、ＵＥを示し、参照符号３０２は、Ｅ−ＲＡＮを示す。ステップ３１１で、ＵＥ３０１は、ＲＲＣアイドルモードからＲＲＣ接続モードに遷移する。その結果、制御チャネルは、ＵＥ３０１とＥ−ＲＡＮ３０２との間で確立され、Ｅ−ＲＡＮ３０２は、ＵＥ３０１に関するＲＲＣコンテキスト情報を有する。Ｅ−ＲＡＮ３０２は、ステップ３１２で、ＣＱＩ報告資源をＵＥ３０１に割り当てる。この割り当てられたＣＱＩ報告資源に関する情報は、ステップ３１１又はステップ３１２で、個別のシグナリングによりＵＥ３０１に送信される。ＣＱＩ報告資源割当て情報は、時間周波数資源に関する情報、ＣＱＩ報告の開始ポイントに関する情報、及びＣＱＩ報告周期などを含む。ステップ３２１、３２２、及び３２３で、ＵＥ３０１は、ＣＱＩ報告周期に従って割り当てられたＣＱＩ無線資源を用いてＥ−ＲＡＮ３０２へのＣＱＩ報告を行う。
【００２６】
Ｅ−ＲＡＮ３０２がＵＥ３０１のデータフローに従ってＵＥ３０１に対してＤＲＸを適用することを決定すると、Ｅ−ＲＡＮ３０２は、ステップ３３１で、ステップ３１１又はステップ３１２で割り当てられたＣＱＩ報告資源を示すＣＱＩ報告資源情報コンテキストを維持し、ＣＱＩ報告資源情報コンテキスト及びＤＲＸ周期情報を用いてＤＲＸ適用の直前に使用されたＣＱＩ報告資源を割り当て、ＵＥ３０１がＤＲＸ適用の直前に使用された他のＣＱＩ報告資源は、他のユーザのシグナリング又はデータ送信のために再割当てする。すなわち、ＤＲＸ適用の前にＵＥ３０１に割り当てられた元来のＣＱＩ報告資源情報及びＤＲＸ適用期間を計算することにより、ＤＲＸ適用の直前に使用されたＣＱＩ報告資源だけをＵＥ３０１のために維持し、他のＣＱＩ報告資源は、他のユーザに再割当てする。これは、無線資源の効率的な使用のためである。
【００２７】
例えば、ＤＲＸがＳＦＮ１００で開始され、ＤＲＸ周期が１００である場合には、ＵＥは、データ受信のために、ＳＦＮ１００、２００、３００等で起動する。ＣＱＩがＤＲＸ適用の前に使用されたＣＱＩ報告資源情報コンテキストに従って割り当てられた時間−周波数無線資源を用いてＳＦＮ１１０、１３０、１５０、１７０、１９０、２１０、２３０、２５０、２７０、２９０、３１０等で報告されることになっていた場合には、Ｅ−ＲＡＮ３０２は、ＳＦＮ２００の直前にＳＦＮ１９０で割り当てられたＣＱＩ報告無線資源及びＳＦＮ３００の直前にＳＦＮ２９０で割り当てられたＣＱＩ報告無線資源をＵＥ３０１のために維持し、他のＳＦＮ１１０、１３０、１５０、１７０、２１０、２３０、２５０、２７０、３１０などで他のＣＱＩ報告無線資源を他のユーザのために再割当てする。上記例において、接続フレーム番号（Connection Frame Number：以下、“ＣＦＮ”と称する）は、ＳＦＮと置き換わってもよい。ＳＦＮ及びＣＦＮは、３ＧＰＰ標準の定義を適用してもよい。
【００２８】
ステップ３３２で、Ｅ−ＲＡＮ３０２は、シグナリングによりＤＲＸ適用をＵＥ３０１に通知する。本発明の資源再割当て方法に従うと、Ｅ−ＲＡＮ３０２及びＵＥ３０１がＤＲＸで使用するためのＣＱＩ報告資源に合意したため、シグナリングでのＣＱＩ報告資源再割当て情報を含む必要がない。ステップ３３３で、ＵＥ３０１は、ステップ３１１又はステップ３１２で割り当てられたＣＱＩ報告資源を示すＣＱＩ報告資源情報コンテキストを維持し、以前の他のＣＱＩ報告資源がＵＥ３０１のために使用されないものと見なし、ＣＱＩ報告資源情報コンテキスト及びＤＲＸ周期情報に従ってＤＲＸ適用の直前に使用されたＣＱＩ報告資源でＣＱＩを報告する。すなわち、ＤＲＸ適用の前にＵＥ３０１に割り当てられた元来のＣＱＩ報告資源及びＤＲＸ周期を計算し、ＤＲＸ適用の直前に使用されたＣＱＩ報告資源をＵＥ３０１のために維持し、他のＣＱＩ報告資源を他のユーザに再割当てする。
【００２９】
例えば、ＤＲＸがＳＦＮ１００で開始され、ＤＲＸ周期が１００である場合には、ＵＥは、ＳＦＮ１００、２００、３００等で起動する。ＣＱＩがＤＲＸ適用の前に使用されたＣＱＩ報告資源情報コンテキストに従って割り当てられた時間−周波数無線資源を用いてＳＦＮ１１０、１３０、１５０、１７０、１９０、２１０、２３０、２５０、２７０、２９０、３１０等で報告されることになっていた場合には、ＵＥ３０１は、ＳＦＮ１１０、１３０、１５０、１７０、２１０、２３０、２５０、２７０、３１０などで割り当てられた他のＣＱＩ報告無線資源がこれ以上ＵＥ３０１のために使用されないと見なし、ＳＦＮ１９０及びＳＦＮ２９０で割り当てられたＣＱＩ報告無線資源を用いてＣＱＩを報告する。本実施形態において、ＣＦＮは、ＳＦＮと置き換わってもよい。ＳＦＮ及びＣＦＮは、３ＧＰＰ標準の定義を適用してもよい。
【００３０】
ステップ３３４で、ＵＥ３０１は、ＤＲＸを適用し、ＤＲＸ適用の前に使用されたＣＱＩ報告資源情報コンテキスト及びＤＲＸ周期情報を使用して計算されたＤＲＸ適用の直前に使用されたＣＱＩ報告資源を使用してＥ−ＲＡＮ３０２にＣＱＩを報告する。
Ｅ−ＲＡＮ３０２がＤＲＸモードからＵＥ３０１を解除することを決定すると、ステップ３４１で、ステップ３３１から維持されているＣＱＩ報告資源情報コンテキストを用いてＤＲＸ適用の前に使用された、ステップ３１１又はステップ３１２で割り当てられたＣＱＩ報告資源を再割当てする。ステップ３４２で、Ｅ−ＲＡＮ３０２は、ＤＲＸ解除をＵＥ３０１に通知する。本発明の暗示的ＣＱＩ報告割当て方法が使用される場合には、Ｅ−ＲＡＮ３０２及びＵＥ３０１がＤＲＸ解除の際に使用するためのＣＱＩ報告資源に合意したため、ステップ３４２で、ＣＱＩ報告資源再割当て情報をＵＥ３０１に送信する必要がない。ステップ３４２でＤＲＸ解除を示す信号を受信すると、ＵＥ３０１は、ステップ３４４、ステップ３４５、及びステップ３４６でＤＲＸ解除の後に、ＤＲＸ適用の前にステップ３１１又はステップ３１２で割り当てられたＣＱＩ報告資源を用いてＣＱＩを報告する。ここで、ＣＱＩ報告周期は、ステップ３２１、ステップ３２２、及びステップ３２３でのＣＱＩ報告周期と同一である。
【００３１】
図３に図示していないが、本発明は、従来の方法と組み合わせて使用されることができる。すなわち、ＣＱＩ報告資源再割当て情報がステップ３３２又はステップ３４２で明示的にシグナリングされると、ＵＥ３０１は、ＣＱＩ報告資源再割当て情報に従ってＣＱＩを報告する。この報告資源再割当て情報がステップ３３２又はステップ３４２でシグナリングされないと、ＵＥ３０１は、ＵＥ３０１とＥ−ＲＡＮ３０２との間のＣＱＩ報告資源再割当て規則に従ってＣＱＩを報告する。
このように、ＵＥは、ＲＲＣ接続モードで連続的なチャネル受信状態とＤＲＸ状態との間で遷移する際に、新たなＣＱＩ報告資源再割当て情報をシグナリングするオーバーヘッドなしで、定義されたＣＱＩ報告資源再割当て規則に従ってＣＱＩを報告することができる。
【００３２】
図４は、本発明の実施形態によるＵＥの動作を示すフローチャートである。図４に図示するように、本発明は、従来の明示的ＣＱＩ報告資源再割当て方法と組み合わせて使用される。
図４を参照すると、ステップ４０１で、ＵＥは、ＤＲＸ適用を示す信号をＥ−ＲＡＮから受信し、ステップ４０２で、ＣＱＩ報告資源再割当て情報がこの信号に含まれているか否かを確認する。ＣＱＩ報告資源再割当て情報が含まれている場合には、ＵＥは、ステップ４１１で、ＣＱＩ報告資源再割当て情報に従ってＣＱＩ報告を行う。他方、ＣＱＩ報告資源再割当て情報が含まれていない場合には、ＵＥは、ステップ４２１で、ＤＲＸ適用を示す信号を受信する前に使用されたＣＱＩ報告資源情報コンテキストを維持し、ＤＲＸ適用の直前に割り当てられたＣＱＩ報告資源を計算する。ＵＥは、この計算されたＣＱＩ報告資源だけがＣＱＩ報告のためのものであり、他のＣＱＩ報告資源が有効ではないものと見なす。ステップ４２２で、ＵＥは、有効なＣＱＩ報告資源を用いてＣＱＩを報告する。
【００３３】
ＤＲＸの間に、ＤＲＸ解除は、ステップ４５１で、Ｅ−ＲＡＮによりＵＥに指示される。ＵＥは、ステップ４５２で、ＣＱＩ報告資源再割当て情報がステップ４５１でのシグナリングに含まれているか否かを確認する。ＣＱＩ報告資源再割当て情報が含まれている場合には、ＵＥは、ステップ４６１で、ＣＱＩ報告資源再割当て情報に従ってＣＱＩ報告を行う。他方、ＣＱＩ報告資源再割当て情報が含まれていない場合には、ＵＥは、ステップ４７１で、ＤＲＸ適用の前に使用されたＣＱＩ報告資源が有効なものと見なし、ステップ４７２で維持されているＣＱＩ報告資源情報コンテキストを用いてＣＱＩを報告する。
【００３４】
図５は、本発明の実施形態によるＥ−ＲＡＮの動作を示すフローチャートである。図５に図示するように、本発明のＣＱＩ報告資源再割当て方法は、従来のＣＱＩ報告資源再割当て方法とともに使用される。
図５を参照すると、ステップ５０１で、Ｅ−ＲＡＮは、特定のＵＥにＤＲＸを適用することを決定する。一般的に、ＵＥとのデータフローが一時的に存在しない場合には、ＤＲＸは、ＵＥに適用される。ステップ５０２で、Ｅ−ＲＡＮは、本発明を従来の方法に適用するか否かを確認する。後者の場合に、Ｅ−ＲＡＮは、ステップ５１１で、ＣＱＩ報告資源再割当て情報を明示的に含む。前者の場合に、Ｅ−ＲＡＮは、ステップ５２１で、ＵＥのために使用された他のＣＱＩ報告資源を他のユーザに再割当てする間に、ＤＲＸ適用の前にＵＥに割り当てられたＣＱＩ報告資源を示すＣＱＩ資源情報コンテキストを維持し、ＤＲＸ周期情報及びコンテキストに従ってＣＱＩ報告資源をＵＥに継続して割り当てる。ステップ５２２で、Ｅ−ＲＡＮは、ＣＱＩ報告資源再割当て情報を含まない。ステップ５３１で、Ｅ−ＲＡＮは、ＤＲＸ適用をＵＥにシグナリングする。
【００３５】
Ｅ−ＲＡＮは、ステップ５５１で、ＵＥをＤＲＸ状態から解除することを決定する。Ｅ−ＲＡＮは、ステップ５５２で、ＣＱＩ報告資源を再割当てするために、維持していたＣＱＩ報告資源情報コンテキストを使用するか否かを判定する。このコンテキストに関係なく、ＣＱＩ報告資源を再割当てすることを判定すると、Ｅ−ＲＡＮは、ステップ５６１で、ＤＲＸ解除の後に使用するためのＣＱＩ報告資源再割当て情報を明示的に含む。このコンテキストを使用してＣＱＩ報告資源を再割当てすることを判定すると、Ｅ−ＲＡＮは、ステップ５７１で、このコンテキストを使用し、ステップ５７２で、ＣＱＩ報告資源再割当て情報を含まない。Ｅ−ＲＡＮは、ステップ５８１で、ＤＲＸ解除をＵＥにシグナリングする。
【００３６】
図６は、本発明の実施形態によるＵＥのブロック図である。図６に図示するように、本発明は、従来の明示的ＣＱＩ報告資源再割当て方法と組み合わせて使用される。
図６を参照すると、信号送受信部６０１は、Ｅ−ＲＡＮからの信号を受信するか、又はＣＱＩ報告などを含む信号をＥ−ＲＡＮに送信する。ＤＲＸ管理部６１１は、信号送受信部６０１から受信された信号が、Ｅ−ＲＡＮがＤＲＸ適用又はＤＲＸ解除を指示したことを示すか否かを判定し、関連ＤＲＸ周期情報などを管理する。ＣＱＩ報告資源再割当て情報解析部６２１は、ＤＲＸ適用又はＤＲＸ解除を示す信号がＣＱＩ報告資源再割当て情報を明示的に含むか否かを判定する。ＤＲＸ適用又はＤＲＸ解除を示す信号がＣＱＩ報告資源再割当て情報を明示的に含む場合には、ＣＱＩ報告資源再割当て情報解析部６２１は、明示的ＣＱＩ報告資源再割当て情報に従ってＣＱＩを報告する。
【００３７】
他方、ＤＲＸ適用又はＤＲＸ解除を示す信号がＣＱＩ報告資源再割当て情報を明示的に含まない場合には、ＣＱＩ報告資源計算部６４１は、ＣＱＩ報告資源コンテキスト管理部６３１から受信されたＤＲＸ適用の前に使用されたＣＱＩ報告資源情報コンテキスト及びＤＲＸ管理部６１１から受信されたＤＲＸ周期情報を用いてＵＥのためのＣＱＩ報告資源を計算する。信号送受信部６０１から受信された信号がＤＲＸ適用を示す場合には、ＤＲＸ適用の前に使用されたＣＱＩ報告資源の中からＤＲＸ適用の直前に使用されたＣＱＩ報告資源だけが使用されるはずである。この信号がＤＲＸ解除を示す場合には、ＣＱＩは、ＤＲＸ適用の前に使用されたＣＱＩ報告資源で報告される。
ＣＱＩ測定部６５１は、ＣＱＩを測定し、ＣＱＩ報告資源再割当て情報解析部６２１で示されたＣＱＩ報告資源を用いて信号送受信部を介してアップリンクを介してＣＱＩをシグナリングする。
【００３８】
図７は、本発明の実施形態によるＥ−ＲＡＮのブロック図である。図７に図示するように、本発明は、従来の明示的ＣＱＩ報告資源再割当て方法と組み合わせて使用される。
図７を参照すると、データフロー測定部７０１は、ＵＥのデータフローを測定する。ＤＲＸ管理部７１１は、データフロー測定に従ってＵＥのＤＲＸを適用するか、又は解除するかを決定し、ＵＥのＤＲＸ適用を決定する場合には、データフロー測定部７０１は、ＤＲＸ周期情報などを設定する。ＣＱＩ報告資源再割当て判定部７３１は、ＤＲＸ適用の前のＵＥのＣＱＩ報告資源情報コンテキストを使用するか、又は新たなＣＱＩ報告資源を再割当てするかを決定する。ＣＱＩ報告資源再割当て判定部７３１が新たなＣＱＩ報告資源を割り当てることを決定すると、ＣＱＩ報告資源再割当て情報は、ＤＲＸ適用又はＤＲＸ解除を示す信号に明示的に含まれる。ＣＱＩ報告資源再割当て判定部７３１がＣＱＩ報告資源情報コンテキストを再使用することを決定すると、ＣＱＩ報告資源再割当て情報は、ＤＲＸ適用又はＤＲＸ解除を示す信号に含まれない。ＣＱＩ報告資源情報コンテキストが再使用され、ＤＲＸ管理部７１１から受信された信号がＤＲＸ適用を示す場合には、信号送受信部７４１は、ＣＱＩ報告資源計算部７５１から受信されたＤＲＸ適用の直前に使用されたＣＱＩ報告資源及びＤＲＸ管理部７１１から受信されたＤＲＸ周期情報を維持し、この維持されているＣＱＩ報告資源でＵＥからＣＱＩ報告を受信する。ＤＲＸ適用の直前のＣＱＩ報告資源を除いたＤＲＸ適用の前の使用された他のＣＱＩ報告資源は、他のＵＥに再割当てされることができる。ＣＱＩ報告資源情報コンテキストが再使用され、ＤＲＸ管理部７１１から受信された信号がＤＲＸ解除を示す場合には、信号送受信部７４１は、ＤＲＸ解除の後に、ＣＱＩ報告資源情報コンテキストを用いてＵＥからＣＱＩ報告を受信する。
【００３９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図面の簡単な説明】
【００４０】
【図１】本発明が適用される３ＧＰＰ ＬＴＥシステムの構成を示す図である。
【図２】ＵＥがＲＲＣ接続モードで連続的なチャネル受信状態からＤＲＸチャネル受信状態に遷移する際におけるＵＥのためのＣＱＩ報告資源を再構成する動作を示す図である。
【図３】本発明の実施形態によるＵＥがＲＲＣ接続モードで連続的なチャネル受信状態からＤＲＸチャネル受信状態に遷移する際におけるＵＥのためのＣＱＩ報告資源を再構成する動作を示す図である。
【図４】本発明の実施形態によるＵＥの動作を示すフローチャートである。
【図５】本発明の実施形態によるＥ−ＲＡＮの動作を示すフローチャートである。
【図６】本発明の実施形態によるＵＥのブロック図である。
【図７】本発明の実施形態によるＥ−ＲＡＮのブロック図である。
【符号の説明】
【００４１】
１１０  ＵＥ
１２０  Ｅ−ＮｏｄｅＢ
１３０  Ｅ−ＲＮＣ
１４０  Ｅ−ＲＡＮ
１５０  Ｅ−ＣＮ
１６０  ＰＤＮ
１７０  Ｅ−ＵＭＴＳ
６０１  信号送受信部
６１１  ＤＲＸ管理部
６２１  ＣＱＩ報告再割当て情報解読部
６３１  ＣＱＩ報告資源コンテキスト管理部
６４１  ＣＱＩ報告資源計算部
６５１  ＣＱＩ管理部
７０１  データフロー測定部
７１１  ＤＲＸ管理部
７２１  ＣＱＩ報告資源コンテキスト管理部
７３１  ＣＱＩ報告資源再割当て判定部
７４１  信号送受信部
７５１  ＣＱＩ報告資源計算部
【図１】
2009533995.tif 000003
【図２】
2009533995.tif 000004
【図３】
2009533995.tif 000005
【図４】
2009533995.tif 000006
【図５】
2009533995.tif 000007
【図６】
2009533995.tif 000008
【図７】
2009533995.tif 000009
【国際調査報告】
2009533995.tif 000010
2009533995.tif 000011